(57)【特許請求の範囲】
【請求項１】
浴槽内の水位を検知する手段と、
前記浴槽内の空間を水平面で切断した断面積である浴槽断面積の値を取得する手段と、
前記水位が低下したときに前記浴槽内へ湯を補給する足し湯動作を制御する手段と、
を備え、
前記足し湯動作を制御する手段は、前記水位の低下量と前記浴槽断面積の値とから計算される第一補給量が、前記浴槽断面積の値が小さいほど少なくなるように定められた第二補給量を超える場合には、前記第二補給量に応じた量の湯を補給し、そうでない場合には、前記第一補給量に応じた量の湯を補給する給湯装置。
【請求項２】
前記足し湯動作の後の前記水位が目標水位未満の場合に、前記足し湯動作が再び実施される請求項１に記載の給湯装置。
【請求項３】
前記足し湯動作を連続して実施する回数が制限される請求項１または請求項２に記載の給湯装置。
【請求項４】
前記足し湯動作を連続して実施する場合の湯の補給量が、前回の前記足し湯動作のときの補給量に比べて少なくされる請求項１から請求項３のいずれか一項に記載の給湯装置。
【請求項５】
前記浴槽断面積の値が小さい場合には、前記浴槽断面積の値が大きい場合に比べて、前記足し湯動作を連続して実施する回数を制限する制限回数が大きくされる請求項１から請求項４のいずれか一項に記載の給湯装置。
【請求項６】
前記浴槽断面積の値が小さい場合には、前記浴槽断面積の値が大きい場合に比べて、前記足し湯動作を連続して実施する回数を制限する制限回数が小さくされる請求項１から請求項４のいずれか一項に記載の給湯装置。
【請求項７】
複数回の前記足し湯動作によって補給された湯の総量が、当初の前記浴槽内の湯量を超えた場合に、前記足し湯動作が禁止される請求項１から請求項６のいずれか一項に記載の給湯装置。
【発明の詳細な説明】
【技術分野】
【０００１】
本発明は、給湯装置に関する。
【背景技術】
【０００２】
下記特許文献１に開示された風呂給湯装置は、以下のようになっている。浴槽内の現在水位と維持目標水位とを比較し、現在水位が維持目標水位より低い場合に維持目標水位を保つように補水湯張りを行う。補水湯張り時に湯張り流量センサで補水量を累積してカウントする。この累積補水量が、浴槽容量または設定湯張り量と、予め定められた１以上の係数βとの積で算出される累積上限補水量に達すると、湯張り制御弁を閉じて補水湯張りを停止する。また、１回の補水湯張りの上限補水量は、設定湯張り量と、予め定められた０以上１以下の係数αとの積で算出される。
【先行技術文献】
【特許文献】
【０００３】
【特許文献１】特開２００３−４２５３４号公報
【発明の概要】
【発明が解決しようとする課題】
【０００４】
風呂給湯装置の水位センサは、浴槽につながる給湯管路の圧力に基づいて浴槽内の水位を検知するものが多い。給湯管路内に空気だまりが発生していたりしたような場合、水位センサが検知する水位が、実際の浴槽の水位に対して、誤差を生じる可能性がある。そのような場合には、水位センサで検知した水位に基づいて補水湯張りすなわち足し湯動作を行った際に、浴槽から湯が溢れることを確実に防止することが困難である。
【０００５】
本発明は、上述のような課題を解決するためになされたもので、足し湯動作のときに浴槽から湯が溢れることを確実に防止できる給湯装置を提供することを目的とする。
【課題を解決するための手段】
【０００６】
本発明に係る給湯装置は、浴槽内の水位を検知する手段と、浴槽内の空間を水平面で切断した断面積である浴槽断面積の値を取得する手段と、水位が低下したときに浴槽内へ湯を補給する足し湯動作を制御する手段と、を備え、足し湯を制御する手段は、水位の低下量と浴槽断面積の値とから計算される第一補給量が、浴槽断面積の値が小さいほど少なくなるように定められた第二補給量を超える場合には、第二補給量に応じた量の湯を補給し、そうでない場合には、第一補給量に応じた量の湯を補給するものである。
【発明の効果】
【０００７】
本発明の給湯装置によれば、足し湯動作のときに浴槽から湯が溢れることを確実に防止することが可能となる。
【図面の簡単な説明】
【０００８】
【図１】実施の形態１の給湯装置を示す図である。
【図２】実施の形態１の給湯装置のブロック図である。
【図３】足し湯最大量と、浴槽断面積との関係を示す図である。
【図４】実施の形態１の給湯装置が自動的に行う湯張り動作及び足し湯動作のときの制御ルーチンを示すフローチャートである。
【図５】実施の形態１の給湯装置が自動的に行う湯張り動作及び足し湯動作のときの制御ルーチンを示すフローチャートである。
【発明を実施するための形態】
【０００９】
以下、図面を参照して実施の形態について説明する。各図において共通する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１の給湯装置を示す図である。図１に示す本実施の形態の給湯装置１は、貯湯式の給湯装置である。給湯装置１は、熱源機２及びタンクユニット３を備える。熱源機２は、水を加熱する加熱手段の例である。熱源機２は、ヒートポンプ式の加熱装置でもよい。タンクユニット３には、貯湯タンク１０、湯水混合弁１１、制御装置３０等が搭載されている。
【００１１】
往き管１２は、貯湯タンク１０の下部と、熱源機２の入口との間をつなぐ。往き管１２の途中に循環ポンプ１４が接続されている。戻り管１６は、熱源機２の出口と、貯湯タンク１０の上部との間をつなぐ。貯湯タンク１０に湯を蓄積する運転のときには、以下のようになる。熱源機２及び循環ポンプ１４が運転される。貯湯タンク１０の下部から取り出された低温水が往き管１２を通って熱源機２へ送られる。熱源機２で加熱された湯すなわち高温水が、戻り管１６を通ってタンクユニット３へ送られ、貯湯タンク１０の上部に流入する。貯湯タンク１０内で上から下へ向かって湯が蓄積されていく。
【００１２】
給湯管路４は、貯湯タンク１０の上部と、湯水混合弁１１の湯入口との間をつなぐ。給水管路７は、水道等の水源に接続されている。水源から供給される水が給水管路７を通ってタンクユニット３に入る。給水管路７の下流部は、タンクユニット３内で分岐し、貯湯タンク１０の下部と、湯水混合弁１１の水入口とにそれぞれ接続されている。湯水混合弁１１の出口には、給湯管路５の一端が接続されている。
【００１３】
タンクユニット３と、浴室にある浴槽６０との間は、第一管路６及び第二管路８を介して接続されている。第一管路６の一端及び第二管路８の一端は、浴槽６０に接続されている。タンクユニット３内で、第一管路６の他端と、第二管路８の他端と、給湯管路５の他端とが、互いに連通している。
【００１４】
給湯管路５の途中には、流量調節弁１３及び流量センサ１７が備えられている。流量調節弁１３は、給湯管路５を通る湯の流量を調節する。流量センサ１７は、給湯管路５を通る湯の流量を検知する。タンクユニット３内にある部分の第一管路６には、水位センサ１５が備えられている。水位センサ１５は、第一管路６内の水圧に基づいて、浴槽６０の水位を検知できる。水位センサ１５は、浴槽６０の底を基準にして水位を検知するものではない。水位センサ１５は、自身の取付け位置を基準にして浴槽６０の水位を検知する。第一管路６、第二管路８、及び給湯管路５が合流する位置には、湯の温度を検知する温度センサ１９が備えられている。
【００１５】
制御装置３０は、熱源機２、湯水混合弁１１、及び流量調節弁１３の動作を制御する。制御装置３０は、タンクユニット３の外部にあるリモコン装置３５に対し、有線通信または無線通信により、双方向にデータ通信可能に接続されている。リモコン装置３５は、ユーザーインターフェースの例である。リモコン装置３５は、浴槽６０のある浴室に設置されてもよい。
【００１６】
浴槽６０へ湯を供給するときには、以下のようになる。流量調節弁１３が開かれる。貯湯タンク１０の上部から給湯管路４により供給される高温の湯と、給水管路７により供給される低温水とが、湯水混合弁１１にて混合される。その混合された湯が、給湯管路５を通過し、第一管路６と第二管路８とに分かれて流れ、浴槽６０内へ注入される。
【００１７】
第一管路６及び第二管路８により、浴槽６０内の浴水を循環させる循環回路が形成されてもよい。第一管路６または第二管路８の途中に、浴水を循環させるポンプ（図示省略）が備えられてもよい。第一管路６または第二管路８の途中に、浴水を加熱する熱交換器のような加熱手段が備えられてもよい。当該加熱手段で浴水を加熱しながら第一管路６及び第二管路８に浴水を循環させることで、浴槽６０内の浴水を追焚きしてもよい。
【００１８】
図２は、実施の形態１の給湯装置１のブロック図である。図２に示すように、制御装置３０は、熱源機駆動部２０、混合弁駆動部２１、流量調節弁駆動部２２、第１ＡＤ（アナログ−ディジタル）変換部２３、パルス検知部２４、第２ＡＤ変換部２５、制御部２６、記憶部２７、及び通信回路部２８を備える。リモコン装置３５は、ユーザー操作を受け付けるボタン等の操作部３１と、液晶ディスプレイ等からなる表示部３３とを備える。リモコン装置３５は、音声案内を出力可能な音声出力部などをさらに備えてもよい。ユーザーは、給湯装置１の各種の運転または動作の設定、予約、実行指令、停止指令等をリモコン装置３５へ入力できる。
【００１９】
制御装置３０は、ユーザーがリモコン装置３５へ入力した指令及び情報、水位センサ１５、流量センサ１７、及び温度センサ１９で検知された情報に基づいて、熱源機２、湯水混合弁１１、及び流量調節弁１３の動作を制御する。
【００２０】
熱源機駆動部２０は、制御部２６による制御の下に熱源機２の動作を制御する。混合弁駆動部２１は、制御部２６による制御の下に湯水混合弁１１の動作を制御する。流量調節弁駆動部２２は、制御部２６による制御の下に流量調節弁１３の動作を制御する。第１ＡＤ変換部２３は、水位センサ１５から送られているアナログの検知信号をディジタル信号に変換して制御部２６に送る。パルス検知部２４は、流量センサ１７から送られてくるパルス信号を検出して検出結果を制御部２６に送る。第２ＡＤ変換部２５は、温度センサ１９から送られているアナログの検知信号をディジタル信号に変換して制御部２６に送る。
【００２１】
制御部２６は、沸き上げ制御部２６ａ、湯張り制御部２６ｂ、及び足し湯制御部２６ｃを備える。沸き上げ制御部２６ａは、貯湯タンク１０内に必要量の湯が貯湯されるように、熱源機駆動部２０の動作を制御する。湯張り制御部２６ｂは、第２ＡＤ変換部２５から送られてくる信号を基に温度センサ１９の検知温度を求め、該検知温度とリモコン装置３５からユーザーが指定または入力した湯の設定温度とを基に混合弁駆動部２１の動作を制御して、浴槽６０に湯張りする際の湯温を制御する。湯張り制御部２６ｂは、パルス検知部２４から送られてくる信号を基に流量センサ１７の検出湯量を求め、該検出湯量とリモコン装置３５からユーザーが指定または入力した湯の設定湯量とを基に流量調節弁駆動部２２の動作を制御して、浴槽６０に湯張りする際の湯張り湯量を制御する。足し湯制御部２６ｃは、浴槽６０に湯を補給する足し湯動作のときに、補給される湯の温度及び量を制御する。
【００２２】
記憶部２７には、制御部２６の制御プログラムが予め記憶されている。また、記憶部２７には、足し湯動作を開始するトリガーとなる水位低下量の情報と、後述する足し湯最大量に関する情報とが予め記憶されている。足し湯動作を開始するトリガーとなる水位低下量は、例えば、４ｃｍ以上でもよい。また、記憶部２７には、ユーザーがリモコン装置３５から指定した湯張り湯量（以下、「湯張り設定湯量」という）に関する情報、及び、湯張り完了時の浴槽６０内の水位（以下、「湯張り完了水位」という）に関する情報が記憶される。
【００２３】
通信回路部２８は、制御部２６による制御の下に、リモコン装置３５との間の通信、すなわち情報の送受信を制御する。
【００２４】
以下の説明では、浴槽６０内の空間を水平面で切断した断面積を「浴槽断面積」という。図３は、足し湯最大量と、浴槽断面積との関係を示す図である。図３に示す関係が記憶部２７に記憶されている。足し湯最大量は、一回の足し湯動作で浴槽６０へ補給される湯量の上限値として定められた値である。浴槽断面積が小さいほど足し湯最大量が少なくなるように定められている。本実施の形態では、浴槽断面積に正比例して足し湯最大量が増えるように定められている。本実施の形態における足し湯最大量は、「第二補給量」の例である。
【００２５】
図４は、実施の形態１の給湯装置１が自動的に行う湯張り動作及び足し湯動作のときの制御ルーチンを示すフローチャートである。なお、本ルーチンが実行されるとき、貯湯タンク１０内には既に十分な量の湯が蓄積されているものとする。
【００２６】
図４のステップＳ１で、湯張り開始を指示するユーザー操作がリモコン装置３５へ入力された場合には、リモコン装置３５は、湯張り開始指令を、ユーザーが設定した給湯温度及び湯張り設定湯量の情報とともに、制御装置３０へ送信する。ステップＳ１からステップＳ２へ移行する。
【００２７】
ステップＳ２で、湯張り制御部２６ｂは、混合弁駆動部２１及び流量調節弁駆動部２２のそれぞれの動作を制御する。これにより、湯水混合弁１１及び流量調節弁１３のそれぞれの開度が制御され、ユーザーにより設定された温度の湯が、浴槽６０へ供給され始める。
【００２８】
さらに、ステップＳ２で、湯張り制御部２６ｂは、浴槽断面積を算出する。その算出結果が記憶部２７に記憶される。浴槽断面積の算出方法は、例えば、以下のようにしてもよい。浴槽６０への給湯を、複数回、既定量Ｑｓ（例えば２０Ｌ毎）に分けて行う。その各回の給湯時に、水位データ変化量Ｈｓを水位センサ１５で検知し、各回の給湯量とそのときの水位とから、下式（ｉ）により浴槽断面積Ａを算出する。
Ａ＝Ｑｓ÷Ｈｓ  ・・・（ｉ）
【００２９】
上記の場合に、各回で算出した浴槽断面積Ａの値と、そのときに水位センサ１５で検知された水位とを関連付けて記憶部２７に記憶してもよい。そのようにすることで、水位に応じて浴槽断面積が変化する形状の浴槽６０に対しても、より高い精度で制御できる。また、上記のようにして浴槽断面積を算出する動作は、給湯装置１の設置後の初回の湯張りのときだけ行うようにしてもよい。ステップＳ２からステップＳ３へ移行する。
【００３０】
ステップＳ３で、湯張り制御部２６ｂは、パルス検知部２４から送られてくる信号を基に、浴槽６０への給湯量が湯張り設定湯量以上になったか否かを判断する。浴槽６０への給湯量がまだ湯張り設定湯量に達していない場合には、ステップＳ３を繰り返す。浴槽６０への給湯量が湯張り設定湯量以上になった場合には、ステップＳ３からステップＳ４へ移行する。ステップＳ４で、湯張り制御部２６ｂは、流量調節弁駆動部２２の動作を制御し、流量調節弁１３を閉にして給湯を停止させる。ステップＳ４からステップＳ５へ移行する。
【００３１】
ステップＳ５で、湯張り制御部２６ｂは、水位センサ１５から第１ＡＤ変換部２３を介して送られてくる信号を基に、湯張り完了水位を算出する。算出された湯張り完了水位の値が記憶部２７に記憶される。ステップＳ５からステップＳ６へ移行する。ステップＳ６で、湯張り制御部２６ｂは、湯張り終了を示す所定の信号を、足し湯制御部２６ｃへ送信する。ステップＳ６からステップＳ７へ移行する。
【００３２】
足し湯制御部２６ｃは、上記の信号を受けて、動作を開始する。ステップＳ７で、足し湯制御部２６ｃは、以下のようにする。足し湯動作を開始するトリガーとなる水位低下量の値、及び湯張り完了水位の値を記憶部２７から読み出す。第１ＡＤ変換部２３から送られてくる信号を基に、現在の浴槽６０の水位を算出する。湯張り完了水位と現在の水位との水位差が、上記の水位低下量以上であるか否かを判断する。本実施の形態では、浴槽６０の現在の水位が、湯張り完了水位から４ｃｍ以上低下したか否かを判断する。このステップＳ７で、水位差が４ｃｍ未満であると判断されたときには、当該ステップＳ７を繰り返す。水位差が４ｃｍ以上であると判断されたときには、ステップＳ７からステップＳ８へ移行する。
【００３３】
ステップＳ８で、足し湯制御部２６ｃは、以下のようにして、足し湯湯量Ｖ０を算出する。上記ステップＳ２で得た浴槽断面積Ａの値と、ステップＳ５で得た湯張り完了水位Ｈｃの値と、ステップＳ７で得た現在の浴槽６０の水位、すなわち現在水位Ｈ０の値とを用いて、下式（ｉｉ）により、足し湯湯量Ｖ０が算出される。
Ｖ０＝Ａ×（Ｈｃ−Ｈ０）  ・・・（ｉｉ）
【００３４】
例として、浴槽断面積Ａが０．６６ｍ２、湯張り完了水位Ｈｃが０．４５ｍ、現在水位Ｈ０が０．４１ｍだった場合には、以下のように足し湯湯量Ｖ０が算出される。
Ｖ０＝０．６６ｍ２×（０．４５ｍ−０．４１ｍ）＝０．０２６４ｍ３
（Ｈｃ−Ｈ０）は、浴槽６０の水位の低下量に相当する。本実施の形態における足し湯湯量Ｖ０は、水位低下量（Ｈｃ−Ｈ０）と浴槽断面積Ａとから計算される「第一補給量」の例である。
【００３５】
水位センサ１５が配置された第一管路６内に空気だまりが発生していたりした場合には、水位センサ１５が検知する水位が、浴槽６０内の実際の水位から、ずれる可能性がある。そのような場合には、水位低下量（Ｈｃ−Ｈ０）を、実際の水位低下量に比べて、過大に検知する可能性がある。水位低下量（Ｈｃ−Ｈ０）の値が大きいほど、上記ステップＳ８で算出した足し湯湯量Ｖ０の値は大きくなる。実際の水位低下量に比べて、水位低下量（Ｈｃ−Ｈ０）を過大に検知していた場合には、足し湯湯量Ｖ０の値が、実際に必要な量に比べて、過大になる。そのような場合に、足し湯湯量Ｖ０に相当する量の湯を浴槽６０に補給すると、浴槽６０から湯が溢れてしまう可能性がある。
【００３６】
上記のような場合に浴槽６０から湯が溢れてしまうことを確実に防止するために、本実施の形態では、足し湯動作において浴槽６０に補給する湯の上限を、足し湯最大量によって制限する。前述したように、浴槽断面積が小さいほど足し湯最大量が少なくなるように定められている。等量の湯を補給したときの水位の上昇は、浴槽断面積が小さいほど、大きい。例えば、５０Ｌの湯を補給したとき、浴槽断面積が１．０ｍ２であれば０．０５ｍの水位上昇となるのに対して、浴槽断面積が０．５ｍ２であれば０．１ｍの水位上昇となる。このため、等量の湯を補給したとき、浴槽断面積が小さいほど、浴槽６０から湯が溢れる可能性が高い。本実施の形態であれば、浴槽断面積が小さい場合には、浴槽断面積が大きい場合に比べて、足し湯最大量が少なくされる。このため、浴槽断面積が小さい場合でも、浴槽６０から湯が溢れることを確実に防止できる。
【００３７】
図３に示すように、本実施の形態では、以下のようになる。例えば、浴槽断面積が０．５ｍ２だった場合には、足し湯最大量は２５Ｌとなる。この場合、足し湯最大量２５Ｌを浴槽断面積０．５ｍ２の浴槽６０に補給したときの水位上昇は、０．０５ｍとなる。また、浴槽断面積が１．０ｍ２だった場合には、足し湯最大量は５０Ｌとなる。この場合、足し湯最大量５０Ｌを浴槽断面積１．０ｍ２の浴槽６０に補給したときの水位上昇は、０．０５ｍとなる。このように、本実施の形態であれば、浴槽断面積の値にかかわらず、足し湯最大量の湯を浴槽６０に補給したときの水位上昇を均等にすることが可能となる。また、足し湯最大量の湯を浴槽６０に補給したときの水位上昇０．０５ｍ（＝５ｃｍ）は、足し湯動作を開始するトリガーとなる水位低下量（本実施の形態では４ｃｍ）よりも大きい。
【００３８】
ステップＳ８からステップＳ９へ移行する。ステップＳ９で、ステップＳ８で算出された足し湯湯量Ｖ０の値と、足し湯最大量Ｖｍの値とが比較される。足し湯最大量Ｖｍは、記憶部２７に記憶されている図３の関係に上記ステップＳ２で得た浴槽断面積Ａの値を当てはめることで算出される。なお、水位に応じて浴槽断面積が変化する形状の浴槽６０が使用されている場合において、浴槽６０の水位と浴槽断面積Ａとを関連付けて記憶部２７に記憶している場合には、以下のようにしてもよい。湯張り完了水位Ｈｃまたは現在水位Ｈ０における浴槽断面積Ａの値を算出する。その浴槽断面積Ａの値を図３の関係に当てはめることで、足し湯最大量Ｖｍを算出する。
【００３９】
足し湯湯量Ｖ０が足し湯最大量Ｖｍを超える場合には、ステップＳ９からステップＳ１０へ移行する。ステップＳ１０では、足し湯動作で補給する足し湯湯量Ｖａを決定する。この場合、足し湯湯量Ｖａは、足し湯最大量Ｖｍに等しい値とされる。ステップＳ１０からステップＳ１２へ移行する。
【００４０】
足し湯湯量Ｖ０が足し湯最大量Ｖｍを超えない場合には、ステップＳ９からステップＳ１１へ移行する。ステップＳ１１では、足し湯動作で補給する足し湯湯量Ｖａを決定する。この場合、足し湯湯量Ｖａは、足し湯湯量Ｖ０に等しい値とされる。ステップＳ１１からステップＳ１３へ移行する。
【００４１】
ステップＳ１２及びステップＳ１３では、足し湯制御部２６ｃは、足し湯動作を開始する。すなわち、足し湯制御部２６ｃは、混合弁駆動部２１及び流量調節弁駆動部２２のそれぞれの動作を制御する。これにより、湯水混合弁１１及び流量調節弁１３のそれぞれの開度が制御され、ユーザーにより設定された温度の湯が、浴槽６０へ補給され始める。ステップＳ１２からはステップＳ１４へ移行する。ステップＳ１３からはステップＳ１５へ移行する。
【００４２】
ステップＳ１４及びステップＳ１５では、足し湯制御部２６ｃは、パルス検知部２４から送られてくる信号を基に、浴槽６０への湯の補給量が上記の足し湯湯量Ｖａ以上になったか否かを判断する。ステップＳ１４またはステップＳ１５で、湯の補給量がまだ足し湯湯量Ｖａに達していない場合には、ステップＳ１４またはステップＳ１５を繰り返す。湯の補給量が足し湯湯量Ｖａに達した場合には、ステップＳ１４またはステップＳ１５からステップＳ１６へ移行する。ステップＳ１６で、足し湯制御部２６ｃは、流量調節弁駆動部２２の動作を制御し、流量調節弁１３を閉にして給湯を停止させる。ステップＳ１６からステップＳ７へ移行する。これにより、ステップＳ７で、現在の水位が、湯張り完了水位より４ｃｍ低い水位に達していない場合、すなわち足し湯動作後の水位が目標水位未満の場合には、ステップＳ８以降の処理により、足し湯動作が再び実施される。このため、目標水位を確実に達成できる。
【００４３】
このように、本実施の形態では、以下のようになる。水位低下量（Ｈｃ−Ｈ０）と浴槽断面積Ａとから計算された足し湯湯量Ｖ０が足し湯最大量Ｖｍを超える場合には、足し湯最大量Ｖｍに応じた量の湯が足し湯動作のときに浴槽６０に補給される。これに対し、足し湯湯量Ｖ０が足し湯最大量Ｖｍを超えない場合には、足し湯湯量Ｖ０に応じた量の湯が足し湯動作のときに浴槽６０に補給される。このようにすることで、以下の効果が得られる。実際の水位低下量に比べて、水位低下量（Ｈｃ−Ｈ０）を過大に検知していた場合でも、浴槽６０から湯が溢れることを確実に防止できる。特に、小さい浴槽断面積の浴槽６０が使用されている場合でも、浴槽６０から湯が溢れることを確実に防止できる。
【００４４】
なお、浴槽６０のサイズが大型であるような場合において、足し湯最大量が湯張り設定湯量を超える場合には、足し湯動作のときの湯の補給量の上限を湯張り設定湯量で制限してもよい。例えば、図３の例において、浴槽断面積が２．５ｍ２の場合には、足し湯最大量は１２５Ｌになる。この場合に、湯張り設定湯量が１００Ｌであった場合には、足し湯動作のときの湯の補給量の上限を、湯張り設定湯量に等しい１００Ｌに制限してもよい。
【００４５】
実施の形態２．
次に、図５を参照して、実施の形態２について説明するが、上述した実施の形態１との相違点を中心に説明し、同一部分または相当部分については説明を簡略化または省略する。本実施の形態２の給湯装置１の機器構成は、図１に示すものと同じであるので、説明を省略する。
【００４６】
図５は、実施の形態２の給湯装置１が自動的に行う湯張り動作及び足し湯動作のときの制御ルーチンを示すフローチャートである。本実施の形態２では、足し湯動作を連続して実施する回数、すなわち足し湯動作の繰り返し回数が制限される。また、本実施の形態２では、足し湯動作を連続して実施する場合、すなわち足し湯動作を繰り返す場合には、湯の補給量を、前回の足し湯動作のときの補給量に比べて少なくする。
【００４７】
図５のステップＳ１からステップＳ５までは、実施の形態１と同じである。ステップＳ６では、湯張り制御部２６ｂは、湯張り終了を示す所定の信号を、足し湯制御部２６ｃへ送信する。この際、ｎ＝０とする。このｎは、足し湯動作を連続して実施した場合の繰り返した回数（１回目を除く回数）を意味する。以下、「繰り返し回数ｎ」という。
【００４８】
図５のステップＳ７からステップＳ９までは、実施の形態１と同じである。ステップＳ１０及びステップＳ１１では、足し湯動作で補給する足し湯湯量Ｖａを決定する。
【００４９】
ステップＳ１０の場合には、足し湯湯量Ｖａは、足し湯最大量Ｖｍに補正係数αを乗じた値に等しい値とされる。すなわち、下式（ｉｉｉ）により、足し湯湯量Ｖａが算出される。
Ｖａ＝Ｖｍ×α  ・・・（ｉｉｉ）
【００５０】
ステップＳ１１の場合には、足し湯湯量Ｖａは、足し湯湯量Ｖ０に補正係数αを乗じた値に等しい値とされる。すなわち、下式（ｉｖ）により、足し湯湯量Ｖａが算出される。
Ｖａ＝Ｖ０×α  ・・・（ｉｖ）
【００５１】
補正係数αの初期値は、１にされている。したがって、湯張り完了後に最初の足し湯動作を行うときには、足し湯湯量Ｖａは、実施の形態１の場合と同じ値に決定される。
【００５２】
図５のステップＳ１２からステップＳ１６までは、実施の形態１と同じである。ステップＳ１６からステップＳ１７へ移行する。ステップＳ１７では、繰り返し回数ｎと、所定の制限回数Ｋとを比較する。制限回数Ｋは、例えば、２回でもよい。繰り返し回数ｎが制限回数Ｋを超えている場合には、ステップＳ１７からステップＳ２１へ移行する。ステップＳ２１に移行した場合には、本ルーチンの処理を終了し、これ以降は足し湯動作を実施しない。
【００５３】
繰り返し回数ｎが制限回数Ｋを超えていない場合には、ステップＳ１７からステップＳ１８へ移行する。ステップＳ１８では、水位センサ１５にて現在の水位を検知する。その検知された現在の水位が、足し湯動作を実施する前の検知水位（以下、「前回水位」という）に等しいか否かが判断される。現在の水位が前回水位に等しい場合には、ステップＳ１８からステップＳ１９へ移行する。ステップＳ１９では、繰り返し回数ｎに１を加算する。すなわち、ｎ＝ｎ＋１とする。また、下式（ｖ）により、補正係数αが算出される。ステップＳ１９からステップＳ７へ移行する。
α＝０．８ｎ  ・・・（ｖ）
【００５４】
補正係数αが上記のように算出されることで、以下のようになる。足し湯動作を連続して実施する場合、すなわち足し湯動作を繰り返す場合には、ステップＳ１０またはステップＳ１１で決定される足し湯湯量Ｖａが、前回の足し湯動作のときの０．８倍になる。なお、式（ｖ）における「０．８」は、一例の数値であり、０より大きく１より小さい他の数値に置換可能である。
【００５５】
ステップＳ１８で、現在の水位が前回水位とは異なる場合には、ステップＳ２０へ移行する。ステップＳ２０では、繰り返し回数ｎ＝０とし、補正係数α＝１とする。ステップＳ２０からステップＳ７へ移行する。
【００５６】
足し湯動作で湯が補給されたにもかかわらず、水位センサ１５の誤検知により、水位センサ１５の検知水位が、足し湯動作を実施する前の検知水位に等しくなる場合がある。そのような場合には、ステップＳ７に戻ったとき、水位が回復していないと誤って判断されるので、足し湯動作が連続して実施されることになる。本実施の形態であれば、そのようにして足し湯動作が連続して実施される場合の繰り返し回数が制限される。このため、水位センサ１５の誤検知に起因して足し湯動作が連続して実施された場合でも、浴槽６０から湯が溢れることを確実に抑制できる。さらに、足し湯動作が連続して実施される場合の湯の補給量を、前回の足し湯動作のときの補給量に比べて少なくする。このため、浴槽６０から湯が溢れることをより確実に抑制できる。
【００５７】
上述した制限回数Ｋは、２回に限らず、１回でもよいし、３回、またはそれ以上でもよい。制御装置３０は、浴槽断面積に応じて制限回数Ｋの値を変えてもよい。例えば、浴槽断面積が小さい場合には、浴槽断面積が大きい場合に比べて、制限回数Ｋを大きい値にしてもよい。ユーザーが浴槽６０から等量の湯をくみ出したとき、浴槽断面積が小さいほど、水位の低下量が大きい。このため、ユーザーが浴槽６０から湯をくみ出して消費した場合、浴槽断面積が小さいほど、必要な足し湯動作の回数が多くなる。浴槽断面積が小さい場合に制限回数Ｋの値が小さすぎると、必要な回数の足し湯動作が実施できない可能性がある。これに対し、浴槽断面積が小さい場合には、浴槽断面積が大きい場合に比べて、制限回数Ｋを大きい値にすることで、必要な回数の足し湯動作を確実に実施できる。
【００５８】
あるいは、浴槽断面積が小さい場合には、浴槽断面積が大きい場合に比べて、制限回数Ｋを小さい値にしてもよい。浴槽６０に等量の湯が補給されたとき、浴槽断面積が小さいほど、水位の上昇量が大きい。このため、水位センサ１５の誤検知に起因して、不必要な足し湯動作が連続して実施された場合、浴槽断面積が小さいほど、浴槽６０から湯が溢れる可能性が高い。このため、浴槽断面積が小さい場合に制限回数Ｋの値が大きすぎると、不必要な足し湯動作が連続して実施された場合に、浴槽６０から湯が溢れる可能性がある。これに対し、浴槽断面積が小さい場合には、浴槽断面積が大きい場合に比べて、制限回数Ｋを小さい値にすることで、浴槽６０から湯が溢れることを確実に抑制できる。
【００５９】
なお、制御装置３０は、足し湯動作を複数回実施した場合に、その複数回の足し湯動作によって補給された湯の総量が、当初の浴槽６０内の湯量、すなわち湯張り設定湯量を超えた場合に、それ以降の足し湯動作を禁止してもよい。そのようにすることで、浴槽６０から湯が溢れることを確実に抑制でき、また、湯の消費量が過大になることを防止できる。
【００６０】
以上、各実施の形態について説明したが、これらの実施の形態に限定されるものではない。例えば、湯張り制御部に代わって足し湯制御部が浴槽断面積の値を算出してもよい。また、浴槽断面積の値をユーザーまたは施工業者などがリモコン装置３５に入力可能にしてもよい。また、熱源機として何を用いるかは適宜選択可能である。例えば、ヒータを熱源機として用いる場合には、ヒータは貯湯タンクの内部に配置されてもよい。また、貯湯式の給湯装置に限らず、瞬間式給湯器を備える給湯装置にも適用可能である。
【００６１】
また、制御装置３０は、例えば、以下のように構成されてもよい。制御装置３０は、ハードウェア資源として、例えばプロセッサ及びメモリを含む処理回路を備えてもよい。制御装置３０は、メモリに記憶されたプログラムをプロセッサによって実行することにより、前述した各機能を実現してもよい。また、制御装置３０が有する各機能の一部又は全部をハードウェアによって実現してもよい。
【符号の説明】
【００６２】
１  給湯装置、  ２  熱源機、  ３  タンクユニット、  ４，５  給湯管路、  ６  第一管路、  ７  給水管路、  ８  第二管路、  １０  貯湯タンク、  １１  湯水混合弁、  １２  往き管、  １３  流量調節弁、  １４  循環ポンプ、  １５  水位センサ、  １５  水位センサ、  １６  戻り管、  １７  流量センサ、  １９  温度センサ、  ２０  熱源機駆動部、  ２１  混合弁駆動部、  ２２  流量調節弁駆動部、  ２３  第１ＡＤ変換部、  ２４  パルス検知部、  ２５  第２ＡＤ変換部、  ２６  制御部、  ２６ａ  沸き上げ制御部、  ２６ｂ  湯張り制御部、  ２６ｃ  足し湯制御部、  ２７  記憶部、  ２８  通信回路部、  ３０  制御装置、  ３１  操作部、  ３３  表示部、  ３５  リモコン装置、  ６０  浴槽
【図１】
0006658068.tif 000002
【図２】
0006658068.tif 000003
【図３】
0006658068.tif 000004
【図４】
0006658068.tif 000005
【図５】
0006658068.tif 000006